(57)【要約】【課題】  暖房装置付きテーブルに利用される椅子であって、座部を昇降及び回動可能に支持する支柱及びキャスターを備えたものについて、座部の下部に生じる隙間を可能な限り小さなものとして、テーブルの下部空間からの暖気の流出等を適切に防止することのできる椅子を提供する。【解決手段】  椅子１は、背凭れ及び肘掛けを有する座部２と、座部２を昇降及び回動可能に支持する支柱（図示は省略）と、当該支柱を立設する脚台３とから構成されている。座部２と脚台３との間には、支柱の外周側を囲むように、略円筒状に形成された風防部材４が備えられている。また、脚台３の下面側には複数のキャスター５が備えられている。キャスター５は、使用者の着座等により椅子１全体が下降することで、脚台３の下部に設けられたキャスター収納部に収納される。【選択図】      図１
0003106329.tif 000002
【実用新案登録請求の範囲】
【請求項１】
座部と、当該座部を昇降及び回動可能に支持する支柱と、当該支柱を立設した上部開口箱形の脚台とから成る暖房装置付きテーブル用の椅子であって、
前記座部と前記脚台との間の空間を塞ぎ、かつ、その一部又は全部が前記脚台内に収納可能に形成された略円筒状の風防部材を、前記支柱の外周を囲うように取付けるとともに、
前記脚台の下面にキャスターを備え、当該キャスターを、前記座部への加重による脚台の下降動作に応じて収納可能に構成することを特徴とする暖房装置付きテーブル用の椅子。
【考案の詳細な説明】
【技術分野】
【０００１】
本考案は、暖房装置付きのテーブルに用いられる椅子に関し、特に、椅子の座部の下部からの暖気の流出等を防止するための構成に関する。
【背景技術】
【０００２】
従来より、冬季等にテーブル下部空間（使用者の足元等）を暖めることを可能とするために、天板下面側に暖房装置を備えるととともに、テーブルカバーを掛けて、コタツとして利用可能とした暖房装置付きテーブルが用いられている。このような暖房装置付きテーブルでは、テーブルの高さに合った種々の椅子が利用可能であるが、椅子の脚部の形状によっては、椅子の座部の下部に開口が生じることとなり、暖房装置により暖められたテーブル下部空間から外部への暖気の流出や、外部からの冷気の流入により、暖房効率が下がるという問題があった。
この点については、例えば、座部の座面から垂下して開口を塞ぐ布製の部材を備えることや、脚部の間の開口を塞ぐ板材を設けること等が考えられている。
【考案の開示】
【考案が解決しようとする課題】
【０００３】
しかし、座部から垂下する布製の部材や板材等を設けた場合、座部を昇降及び回動可能に支持するシリンダ（支柱）を備えた椅子では、昇降動作や回動動作の邪魔になる恐れがあるとともに、回動動作に応じた座部の向きによっては、座部の下部空間に隙間が生じることとなっていた。また、座面から垂下する布製の部材の場合、使用者の着座の際に位置ずれ等する恐れがあった。さらに、脚部にキャスターを備えた椅子の場合には、キャスター部分に隙間を生じるため、この隙間から下部空間の暖気が流出するという問題や、布製の部材がキャスターにからまるという問題があった。その一方でキャスターを備えない場合には、椅子の移動が不自由となり、また、椅子の移動により部屋の床面に傷が付く恐れがあった。
【０００４】
本発明は前記課題を解決するためのものであり、暖房装置付きテーブルに利用される椅子であって、座部を昇降及び回動可能に支持する支柱及びキャスターを備えたものについて、座部の下部に生じる隙間を可能な限り小さなものとして、テーブルの下部空間からの暖気の流出等を適切に防止することのできる椅子を提供することを目的とする。
【課題を解決するための手段】
【０００５】
前記課題を解決するため、本発明は、座部と、当該座部を昇降及び回動可能に支持する支柱と、当該支柱を立設した上部開口箱形の脚台とから成る暖房装置付きテーブル用の椅子であって、前記座部と前記脚台との間の空間を塞ぎ、かつ、その一部又は全部が前記脚台内に収納可能に形成された略円筒状の風防部材を、前記支柱の外周を囲うように取付けるとともに、前記脚台の下面にキャスターを備え、当該キャスターを、前記座部への加重による脚台の下降動作に応じて収納可能に構成することを特徴とする。
【考案の効果】
【０００６】
以上の構成により、本願発明の暖房装置付きテーブル用の椅子によれば、以下の効果を有する。
（１）座部と脚台との間を塞ぐ風防部材を備えることとしたので、椅子の脚部において通常形成される開口を塞ぐことができ、テーブルの下部空間からの暖気の流出等を適切に防止することができるため、暖房効率を高めることが可能となる。この場合、座部下面側に風防部材を取付けることとしたため、使用者が座部に着座する際等に邪魔になることが無く、使用者の動作等によって位置ずれ等することも無い。また、座部を支持する支柱を囲う略円筒状の風防部材を設けることとしたので、回動動作により座部がどの向きとなった場合でも座部の下部に隙間が生じることが無く、テーブル下部空間からの暖気の流出等を適切に防止することができる。
（２）また、脚台３を上部開口の箱形に形成し、座部の下降動作に応じて、脚台３内に風防部材の一部又は全部が収納可能なように構成しているため、座部の昇降動作の邪魔にならず、テーブルの下部空間からの暖気の流出等を適切に防止することとができる。
（３）また、キャスターを脚台３の下部に収納可能に構成したため、椅子の移動を容易なものとすることができるとともに、キャスターを備えることにより生じる隙間を無くすことができるため、暖気の流出等を適切に防止することができる。
【考案を実施するための最良の形態】
【０００７】
以下、本発明の一実施の形態に係る暖房装置付きテーブル用の椅子について、図面に基づき説明する。
図１は本実施の形態に係る椅子を示す斜視図であり、図２は本実施の形態に係る椅子の座部下面側を示す斜視図であり、図３は本実施の形態に係る椅子の脚台を示す要部側面図である。
各図に示すように、本実施の形態に係る椅子１は、背凭れ及び肘掛けを有する座部２と、ガス圧式シリンダ等により構成され、座部２を昇降及び回動可能に支持する支柱（図示は省略）と、当該支柱を立設する脚台３とから構成されている。
本実施の形態では、座部２と脚台３との間の空間を塞ぐように、支柱の外周側を囲む略円筒状に形成された風防部材４が備えられている。また、脚台３の下面側には複数のキャスター５が備えられている。
風防部材４は、例えば、断熱性を有するＰＶＣ等の樹脂材で構成した軟性部材を用いて形成されるものであり、その一部又は全部が上部開口の箱形に形成された脚台３内に収納可能なように外径及び高さが設定されており、座部２の昇降動作，回動動作を行う際にも邪魔とならない。この場合、座部２と脚台３との間に生じる隙間を出来るだけ少なくするため、風防部材４の外径は、脚台３の内周面に当接する程度の大きさとすることが好ましい。また、風防部材４の高さは、座部２を最上位置に固定した場合に、風防部材４の下端と脚台３との間に隙間を生じない程度とすることが好ましい。
座部２の下面には、図２に示すように、略中央位置に支柱取付け部２ａを設けるとともに、風防部材４の上端部に設けられた面ファスナ（図示は省略）に対応する複数の面ファスナ２ｂが、支柱取付け部２ａを中心とした略真円状となるように所定間隔毎に配置，固定されている。
脚台３は、下面の四隅近傍にキャスター５を備えており、前後方向に移動可能に構成されている。キャスター５を軸支する図外のシャフトは、ばね等の伸縮部材を介して支持されており、伸縮部材は椅子１の自重に対抗して、椅子１全体を上方に押上げることにより、キャスターの一部又は全部が脚台３の下面から突出する。一方、使用者が座部２に着座した場合には、その加重により伸縮部材が収縮し、図３に示すように、椅子１全体が下降することにより、脚台３の下部に設けられたキャスター収納部３ａにキャスター５が収納されることとなる。
【０００８】
以上のように構成された本実施の形態に係る椅子１の使用方法について説明する。
図３に示すように、使用者が着座する前は、伸縮部材により椅子全体が上方に押上げられることにより、実線で示すように、キャスター５が脚台３の下面から突出して回転可能となるため、椅子１が前後方向に移動可能となっている。
一方、使用者が座部２に腰掛けると、使用者による加重で椅子１全体が下降し、破線で示すように、キャスター５が脚台３の下部に設けられたキャスター収納部３ａ内に収納される。これにより、脚台３の下面が床面に接地するため、摩擦力により椅子１の移動が阻止される。
また、座部２と脚台３との間に風防部材４が取付けられているため、足元の隙間が略塞がれた状態となるため、テーブル下部空間からの暖気の流出等を適切に防止することが可能となる。
なお、夏季は、座部２の下面に取付けられた風防部材４を取外すことにより、足元の風通しを良くすることができる。
【０００９】
以上のように、本実施の形態に係る暖房装置付きテーブル用の椅子１は、座部２と脚台３との間を塞ぐ風防部材４を備えることとしたので、椅子１の脚部において通常形成される開口を塞ぐことができ、テーブルの下部空間からの暖気の流出等を適切に防止することができるため、暖房効率を高めることが可能となる。この場合、座部２下面側に風防部材４を取付けることとしたため、使用者が座部２に着座する際等に邪魔になることが無く、使用者の動作等によって位置ずれ等することも無い。また、座部２を支持する支柱を囲う略円筒状の風防部材４を設けることとしたので、回動動作により座部２がどの向きとなった場合でも座部２の下部に隙間が生じることを防止することが可能となる。また、脚台３を上部開口の箱形に形成し、座部２の下降動作に応じて、脚台３内に風防部材４の一部又は全部が収納可能なように構成しているため、座部２の昇降動作の邪魔にならず、テーブルの下部空間からの暖気の流出等をより適切に防止することとができる。
また、キャスター５を脚台３の下部に収納可能に構成したため、椅子１の移動を容易なものとすることができるとともに、キャスター５を備えることにより生じる隙間を無くすことができるため、暖気の流出等をより適切に防止することができる。
【００１０】
なお、本考案に係る暖房装置付きテーブル用の椅子は、前記実施の形態に係るものに限らず、要旨を変更しない範囲で種々の変更が可能である。
例えば、風防部材の取付け方法は、必ずしも面ファスナに限らず、両面接着テープ等、他の方法を用いることとしてもよい。また、風防部材は、軟性樹脂材に限らず、布製の部材や合成部材等、他の部材を用いることとしてもよい。
【図面の簡単な説明】
【００１１】
【図１】本発明の一実施の形態に係る椅子を示す斜視図である。
【図２】本発明の一実施の形態に係る椅子を構成する座部の下面を示す斜視図である。
【図３】本発明の一実施の形態に係る椅子を構成する脚台のキャスター収納構造を示す側面図である。
【符号の説明】
【００１２】
１    椅子
２    座部
２ａ  支柱取付け部
２ｂ  面ファスナ
３    脚台
３ａ  キャスター収納部
４    風防部材
５    キャスター
【図１】
0003106329.tif 000003
【図２】
0003106329.tif 000004
【図３】
0003106329.tif 000005